(57)【要約】【課題】既設の空気調和機において、冷媒漏れを短時間で検出するメンテナンス方法を提供する。【解決手段】メンテナンス方法は、既設の空気調和機１をメンテナンスする方法である。前記メンテナンス方法は、室内ユニット３の少なくとも下部又は室外ユニット２の少なくとも下部を覆うようにシート部材４を配置してそのユニットの下方にシート部材４によって囲まれる空間Ｓを形成する形成工程と、空間Ｓが形成された状態で、前記ユニットを洗浄する洗浄工程と、空間Ｓが形成された状態で、前記ユニットから冷媒の漏れが生じている場合に自重によって下降する冷媒を空間Ｓの下部に集める集合工程と、空間Ｓの下部に集められた冷媒を検出手段５によって検出する検出工程と、を備える。【選択図】図５
2015001327.tif 000002
【特許請求の範囲】
【請求項１】
室外ユニット（２）と前記室外ユニット（２）に接続された１つ又は複数の室内ユニット（３）とを備える既設の空気調和機（１）をメンテナンスする方法であって、
前記室内ユニット（３）の少なくとも下部又は前記室外ユニット（２）の少なくとも下部を覆うようにシート部材（４）を配置してそのユニットの下方にシート部材（４）によって囲まれる空間（Ｓ）を形成する形成工程と、
前記空間（Ｓ）が形成された状態で、前記ユニットを洗浄する洗浄工程と、
前記空間（Ｓ）が形成された状態で、前記ユニットから冷媒の漏れが生じている場合に自重によって下降する冷媒を前記空間（Ｓ）の下部に集める集合工程と、
前記空間（Ｓ）の下部に集められた冷媒を検出手段（５）によって検出する検出工程と、を備える空気調和機のメンテナンス方法。
【請求項２】
冷媒漏れの検出及び洗浄の対象が、部屋の天井に設置される室内ユニット（３）又は部屋の壁に設置される室内ユニット（３）である、請求項１に記載の空気調和機のメンテナンス方法。
【請求項３】
前記冷媒漏れの検出及び洗浄の対象が前記複数の室内ユニット（３）であり、
前記複数の室内ユニット（３）のうちの一部の室内ユニット（３）において前記洗浄工程を行っているときに、他の室内ユニット（３）の少なくとも１つにおいて前記集合工程及び前記検出工程の少なくとも一方を行う、請求項１又は２に記載の空気調和機のメンテナンス方法。
【請求項４】
前記洗浄工程の後に、前記集合工程と前記検出工程とを行う、請求項２又は３に記載の空気調和機のメンテナンス方法。
【請求項５】
前記冷媒は、Ｒ３２単体の冷媒である、請求項１〜４の何れか１項に記載の空気調和機のメンテナンス方法。
【発明の詳細な説明】
【技術分野】
【０００１】
本発明は、室外ユニットとこれに接続された１つ又は複数の室内ユニットとを備える既設の空気調和機をメンテナンスする方法に関する。
【背景技術】
【０００２】
従来、ビルなどの建物に既に設置されている空気調和機の室内ユニットにおいて、熱交換器などの構成部品を洗浄する方法が知られている。例えば特許文献１には、天井埋込み型、天井吊り下げ型などの空気調和機の室内ユニットにおいて、ケーシングの下面を覆うようにホッパーを取り付け、このホッパーに設けられた排水口にホースを接続し、洗浄ノズルによって噴霧された洗浄液をホッパーの排水口及びホースを通じてタンクに回収する洗浄方法が開示されている。
【先行技術文献】
【特許文献】
【０００３】
【特許文献１】特開平５−００１８９７号公報
【発明の概要】
【発明が解決しようとする課題】
【０００４】
ところで、空気調和機の冷媒回路においては高圧の冷媒が循環するので、長年の使用によって空気調和機において冷媒漏れが生じる場合がある。冷媒漏れが生じると空気調和機の性能が低下することがあるため、冷媒漏れが生じた状態を放置することは好ましくない。
【０００５】
しかしながら、既設の空気調和機において冷媒漏れを短時間で検出する方法は知られていない。特に、既設の空気調和機において、冷媒漏れの度合いが小さいスローリークの有無を短時間で検出するのは非常に困難である。
【０００６】
本発明の目的は、既設の空気調和機において、冷媒漏れを短時間で検出するメンテナンス方法を提供することである。
【課題を解決するための手段】
【０００７】
本発明は、室外ユニット（２）と前記室外ユニット（２）に接続された１つ又は複数の室内ユニット（３）とを備える既設の空気調和機（１）をメンテナンスする方法である。前記空気調和機のメンテナンス方法は、前記室内ユニット（３）の少なくとも下部又は前記室外ユニット（２）の少なくとも下部を覆うようにシート部材（４）を配置してそのユニットの下方にシート部材（４）によって囲まれる空間（Ｓ）を形成する形成工程と、前記空間（Ｓ）が形成された状態で、前記ユニットを洗浄する洗浄工程と、前記空間（Ｓ）が形成された状態で、前記ユニットから冷媒の漏れが生じている場合に自重によって下降する冷媒を前記空間（Ｓ）の下部に集める集合工程と、前記空間（Ｓ）の下部に集められた冷媒を検出手段（５）によって検出する検出工程と、を備える。
【０００８】
本発明は、冷媒が空気よりも重いという特性に着目することによって生まれたものである。すなわち、本発明では、室内ユニット（３）又は室外ユニット（２）から漏れる冷媒を、シート部材（４）によって囲まれる空間（Ｓ）において自重によって下降させて空間（Ｓ）の下部に集めることによって、そのユニットから漏れる冷媒が微量であったとしても短時間で冷媒漏れの有無を検出することができる。
【０００９】
しかも、本発明は、シート部材（４）によって空間（Ｓ）が形成された状態で室内ユニット（３）又は室外ユニット（２）の洗浄も行う。すなわち、本発明では、そのユニットの下方に空間（Ｓ）を形成するシート部材（４）は、ユニットから漏れる冷媒を集める機能と、洗浄時の水や洗浄剤などが周囲に飛散するのを防ぐ機能とを兼ね備える。したがって、１回のメンテナンスでユニットの洗浄とユニットの冷媒漏れ検査とを短時間で効率的に行うことができる。
【００１０】
前記空気調和機のメンテナンス方法において、冷媒漏れの検出及び洗浄の対象が、部屋の天井に設置される室内ユニット（３）又は部屋の壁に設置される室内ユニット（３）であるのが好ましい。
【００１１】
この方法で対象とされる天井設置型や壁掛け型の室内ユニット（３）は部屋の床からの距離が大きな高所に設置されるので、前記形成工程において室内ユニット（３）の下方にシート部材（４）によって囲まれる空間（Ｓ）を形成するのに必要なスペースを十分に確保することができる。
【００１２】
前記空気調和機のメンテナンス方法において、前記冷媒漏れの検出及び洗浄の対象が前記複数の室内ユニット（３）であり、前記複数の室内ユニット（３）のうちの一部の室内ユニット（３）において前記洗浄工程を行っているときに、他の室内ユニット（３）の少なくとも１つにおいて前記集合工程及び前記検出工程の少なくとも一方を行うのが好ましい。
【００１３】
この方法では、複数の室内ユニットが冷媒漏れ検出の対象及び洗浄の対象である場合に、洗浄と冷媒漏れ検査とを並行して行うので、メンテナンスをより短時間で効率的に行うことができる。
【００１４】
前記空気調和機のメンテナンス方法において、前記洗浄工程の後に前記集合工程と前記検出工程とを行う場合には、冷媒漏れの有無の検出精度をより高めることができる。具体的に、例えば室内ユニット（３）が設置されている部屋の用途（例えば化学物質を扱うような用途など）によっては、その部屋の空気に含まれる冷媒以外の物質が室内ユニット（３）のケース内や前記空間（Ｓ）に存在し、検出手段（５）による誤検知の原因になる場合がある。このような場合、前記洗浄工程の後に前記集合工程と前記検出工程とを行うことによって誤検知が抑制されて冷媒漏れの有無の検出精度をより高めることができる。
【００１５】
前記空気調和機のメンテナンス方法において、前記冷媒がＲ３２単体の冷媒である場合を例示できる。ＨＦＣ系冷媒の一種であるＲ３２冷媒は微燃性の冷媒である。したがって、微燃性の冷媒の漏洩をこの方法によって検出することは非常に有意義である。
【発明の効果】
【００１６】
以上説明したように、本発明によれば、既設の空気調和機の室内ユニットにおいて、冷媒漏れを短時間で検出することができる。
【図面の簡単な説明】
【００１７】
【図１】既設の空気調和機の一例を示す概略図である。
【図２】本発明の第１実施形態に係るメンテナンス方法の一工程を示す斜視図である。
【図３】（Ａ）は、室内ユニットの化粧パネル、送風機などをケースから取り外す分解工程を示し、（Ｂ）は、室内ユニットのケース内に熱交換器が残された状態を示している。
【図４】第１実施形態に係るメンテナンス方法の一部の工程を示す断面図である。（Ａ）は、メンテナンス方法の形成工程を示し、（Ｂ）は、メンテナンス方法の洗浄工程を示している。
【図５】第１実施形態に係るメンテナンス方法の一部の工程を示す断面図である。（Ａ）は、メンテナンス方法の集合工程を示し、（Ｂ）は、メンテナンス方法の検出工程を示している。
【図６】（Ａ）は、室内ユニットからシート部材を取り外す工程を示し、（Ｂ）は、化粧パネル、送風機などをケースに取り付ける工程を示している。
【図７】本発明の第２実施形態に係るメンテナンス方法に用いられるシート部材を示す斜視図である。
【図８】図７のシート部材の下部にメンテナンス用開口部を形成する手順を示す斜視図である。
【図９】（Ａ）は、第２実施形態におけるシート部材を壁掛け型の室内ユニットに装着した状態での洗浄工程を示す正面図であり、（Ｂ）は、その側面図である。（Ｃ）は、冷媒漏れの検査を行う工程を示す正面図である。
【図１０】第２実施形態におけるシート部材を壁掛け型の室内ユニットに装着した状態を示す正面図であり、室内ユニットの下方の空間を図９（Ｃ）に示す形態よりも小さくした状態を示している。
【発明を実施するための形態】
【００１８】
以下、本発明の一実施形態に係る空気調和機のメンテナンス方法について、図面を参照して説明する。まず、本実施形態のメンテナンス方法が適用される空気調和機の一例について説明する。
【００１９】
［空気調和機］
図１は、既設の空気調和機１の一例を示す概略図である。図１に示す空気調和機１は、１つの室外ユニット２に対して複数の室内ユニット３が冷媒配管６を介して接続された空気調和機であり、いわゆるビル用マルチタイプの空気調和機である。室外ユニット２は、例えば建物の屋上などに設置される。建物の部屋８には複数の室内ユニット３が設置される。この空気調和機１は、冷媒が循環して蒸気圧縮式冷凍サイクルを行う冷媒回路７を備える。室外ユニット２は、図略の圧縮機、膨張弁、室外熱交換器などを備える。部屋８は、床Ｆと、天井Ｃと、床Ｆと天井Ｃとを接続する壁Ｗとを有する。
【００２０】
本実施形態では、各室内ユニット３は、部屋８の天井Ｃに設置される天井設置型の室内ユニットである。天井設置型の室内ユニット３としては、天井に埋め込まれる天井埋込型の室内ユニット、天井から吊り下げられる天井吊り下げ型の室内ユニットなどが挙げられる。図１に示す天井設置型の室内ユニット３は、天井埋込型の室内ユニットである。
【００２１】
各室内ユニット３は、ケース３１と、下面パネル（化粧パネル）３２と、室内熱交換器３３と、送風機３４とを備える。ケース３１は、天井裏に配置される。ケース３１は、天井Ｃに設けられた開口Ａ（図２参照）から天井裏に挿入される。ケース３１の下部は室内に開口している。化粧パネル３２は、ケース３１の下部の開口を塞いでいる。化粧パネル３２は、ケース３１から取り外すことができる。室内熱交換器３３及び送風機３４は、ケース３１内に配置されている。室内熱交換器３３は、送風機３４の周りを囲むように配置されている。室内熱交換器３３としては、例えばフィンアンドチューブ型の熱交換器を用いることができるが、これに限られない。送風機３４としては、ターボファンなどの遠心送風機を用いることができるが、これに限られない。
【００２２】
冷媒回路７を循環する冷媒としては、例えばＨＦＣ系冷媒の一種であるＲ３２単体の冷媒、Ｒ３２を含む混合冷媒（例えばＲ４１０Ａ冷媒）などを用いることができるが、これらに限られず、他の冷媒を用いることもできる。Ｒ３２単体の冷媒及びＲ４１０Ａ冷媒の蒸気の比重は、空気の比重よりも大きい。
【００２３】
［第１実施形態］
次に、本発明の第１実施形態に係るメンテナンス方法について説明する。空気調和機１のメンテナンスは、空気調和機の性能低下が生じたとき、空気調和機の汚れを除去する必要が生じたとき、定期的な点検のときなどに行われる。本実施形態のメンテナンス方法は、空気調和機１の室内ユニット３をメンテナンスの対象としている。このメンテナンス方法は、室内ユニット３における冷媒漏れの検出と、室内ユニット３の洗浄とを含む。
【００２４】
本実施形態における冷媒漏れの検出は、室内ユニット３において具体的にどの箇所から冷媒が漏れているかを見つけ出すものではなく、室内ユニット３において冷媒漏れが生じているか否かを検出するものである。また、本実施形態における洗浄は、室内熱交換器３３、送風機３４などの構成部品を洗浄対象としている。洗浄は、水、洗浄剤などの液体を構成部品に噴射したり、構成部品のほこりや汚れを拭き取ったりすることによって行われる。
【００２５】
図２は、本実施形態に係るメンテナンス方法の一工程を示す斜視図である。図２に示すシート部材４は、室内ユニット３のケース３１の少なくとも下部を覆うように配置される袋状の部材である。本実施形態では、洗浄時の作業性、洗浄時の視認性などを考慮して、シート部材４は、透明又は半透明の樹脂によって形成されている。また、洗浄時に用いられる液体が部屋８内に飛散しないようにシート部材４は、防水性を有している。また、シート部材４は、柔軟性、可撓性を有しているので、室内ユニット３のケース３１下部の形状にフィットさせることができる。
【００２６】
シート部材４の上部４３には開口部が設けられている。上部４３の開口部は、ケース３１の側面（周囲）を外側から包み込むことができる程度に、ケース３１の下部の開口と同程度又は少し大きなサイズを有する。シート部材４の上部４３は、例えば粘着テープなどを用いてケース３１の下部の側面に固定される。
【００２７】
シート部材の下部４２にも開口部が設けられている。下部４２の開口部は、洗浄に用いられる液体を後述する回収容器６２に導くためのホース６１（図４（Ａ））が接続される接続部としての機能と、冷媒漏れを検出する検出手段５（図５（Ｂ））が挿入される挿入部としての機能とを有する。すなわち、シート部材４の下部４２の開口部は、洗浄工程における液体回収用の開口部と、検出工程における検出手段５を挿入するための開口部とを兼ねている。下部４２の開口部は、上部４３の開口部よりも小さくてよい。
【００２８】
シート部材４は、上部４３と下部４２との間に中間部４１を有する。本実施形態では、中間部４１は、下方に向かうほどサイズが小さくなるテーパー形状を有するが、これに限られない。中間部４１は必ずしもテーパー形状でなくてもよい。
【００２９】
シート部材４が図２に示すように室内ユニット３のケース３１に取り付けられた状態では、室内ユニット３のケース３１の下方には、シート部材４によって囲まれる空間Ｓが形成されている。空間Ｓは、側方がシート部材４によって塞がれ、上方がケース３１によって塞がれている。したがって、洗浄時に用いられる液体が部屋８に飛散するのが抑制される。
【００３０】
また、シート部材４の下部４２の開口部を閉じることによって空間Ｓの下方もシート部材４によって塞がれる。したがって、室内ユニット３において冷媒漏れが生じている場合、漏れた冷媒はシート部材４の下部４２に向かって自重で空間Ｓ内を下降し、空間Ｓの下部に集められる。
【００３１】
次に、メンテナンスの詳細について説明する。図３〜図６は、メンテナンスの流れを示している。まず、メンテナンス時に部屋８内が汚れるのを防ぐために、床Ｆ、壁Ｗなどの要部を、図略の養生シートによって覆う。
【００３２】
次に、メンテナンス前の空気調和機１の運転データを測定する。運転データとしては、例えば吸い込み温度、吹き出し温度、風速、吹き出しグリルのスイング状態などが挙げられる。この運転データの測定は省略することもできる。
【００３３】
次に、図３（Ａ）に示すように室内ユニット３の分解作業を行う。この分解作業では、化粧パネル３２、送風機３４、図略の電装部品、吸込グリル、フィルター、ドレンパン、ベルマウスなどをケース３１から取り外す。図３（Ｂ）は、これらの構成部品がケース３１から取り外された状態を示している。この状態では、ケース３１内に室内熱交換器３３が残されている。
【００３４】
次に、図２及び図４（Ａ）に示すように、シート部材４を室内ユニット３のケース３１に取り付ける。具体的に、シート部材４の上部４３がケース３１の周囲を外側から覆うようにシート部材４の上部４３をケース３１の側面に粘着テープなどによって固定する。すなわち、室内ユニット３のケース３１の少なくとも下部を覆うようにシート部材４を配置して室内ユニット３のケース３１の下方にシート部材４によって囲まれる空間Ｓを形成する（形成工程）。形成工程では、シート部材４の上部４３とケース３１の側面との間にできるだけ隙間ができないような状態でシート部材４がケース３１に固定される。そして、図４（Ａ）に示すように、シート部材４の下部４２にホース６１の上端部が接続される。ホース６１の下端部は、床Ｆに載置された回収容器６２内に配置される。
【００３５】
次に、図４（Ｂ）に示すように、室内ユニット３のケース３１内の洗浄が行われる（洗浄工程）。本実施形態の洗浄工程では、室内熱交換器３３が洗浄剤（洗浄用の薬品を含む液体）を用いて洗浄され、その後、室内熱交換器３３が水洗いされるが、これに限られない。洗浄工程は、例えば水洗いだけでもよい。
【００３６】
また、本実施形態の洗浄工程では、ノズル７１と、ノズル７１に接続されたチューブ７２と、チューブ７２が接続された噴霧機構７３とが用いられる。噴霧機構７３は、洗浄剤をノズル７１から噴射させることができるとともに、水をノズル７１から噴射させることもできる（高圧ジェット噴射機構）。ノズル７１及びチューブ７２の一部は、シート部材４の中間部４１に設けられた挿入用開口４４を通じてシート部材４で囲まれた空間Ｓ内に挿入される。挿入用開口４４は、後述の集合工程及び検出工程では例えば粘着テープなどによって閉じられる。
【００３７】
洗浄工程において、作業者はノズル７１の向きを操作して室内熱交換器３３を満遍なく洗浄した後、水噴射に切り換え、ノズル７１の向きを操作して室内熱交換器３３を満遍なく水洗いする。洗浄工程において使用された洗浄剤及び水は、シート部材４の内面を伝ってシート部材４の下部４２に至り、ホース６１を通じて回収容器６２に回収される。
【００３８】
また、ケース３１から取り外された構成部品（化粧パネル３２、送風機３４、図略の電装部品、吸込グリル、フィルター、ドレンパン、ベルマウスなど）は、別途洗浄される。
【００３９】
次に、室内ユニット３の冷媒漏れの検査が行われる。この冷媒漏れの検査では、室内ユニット３のケース３１にシート部材４が取り付けられた状態（空間Ｓが形成された状態）が維持される。冷媒漏れの検査は、集合工程と、検出工程とを含む。洗浄工程で用いられるシート部材４と、集合工程及び検出工程で用いられるシート部材４は、同じものである。
【００４０】
集合工程は、図５（Ａ）に示すように、空間Ｓが形成された状態で、室内ユニット３から冷媒の漏れが生じている場合に自重によって下降するガス冷媒Ｒを空間Ｓの下部に集める。集合工程及び検出工程は、ケース３１内の空間及びシート部材４に囲まれた空間Ｓにおいてできるだけ気流が生じないように、空気調和機１の圧縮機、送風機３４などの運転が停止された状態で行われる。
【００４１】
集合工程は、図５（Ａ）に示すようにシート部材４の下部４２からホース６１を取り外した状態で行われる。集合工程は、シート部材４の下部４２の開口部を閉じた状態で行われるのが好ましい。下部４２の開口部を閉じる手段としては、粘着テープで開口部を塞ぐ、ロープを巻き付けて開口部を塞ぐなどの種々の方法が例示できる。集合工程において冷媒Ｒを空間Ｓの下部に集める時間は、特に限定されないが、例えば数分〜数十分程度（例えば５分〜１０分）に設定される。本実施形態では、シート部材４の中間部４１がテーパー形状を有するので、冷媒Ｒを局所的に集めやすい。これにより、冷媒漏れの検出精度を高めることができる。
【００４２】
検出工程は、図５（Ｂ）に示すように、空間Ｓの下部に集められた冷媒Ｒを検出手段５によって検出する。検出手段５としては、公知の冷媒検知器を用いることができる。冷媒検知器のタイプに応じて、集合工程において冷媒Ｒを空間Ｓの下部に集める時間を設定してもよい。検出手段５は、操作部などを含む本体５０と、本体５０から延びるプローブ５１とを有する。本実施形態では、検出手段５のプローブ５１がシート部材４の下部４２の開口部から挿入され、プローブ５１の先端部が空間Ｓに配置される。これにより、空間Ｓの下部に集まるガス冷媒Ｒが検出される。なお、誤検知の防止のため、検出後には、プローブ５１を空間Ｓから一旦出して再度空間Ｓに挿入して、冷媒検知器５による検出を再度行うのが好ましい。
【００４３】
冷媒漏れ検査の一例を挙げると次の通りである。室温２０℃の部屋に設置された室内ユニット３において、冷媒の初期封入圧力が１．０ＭＰａ（ガス封入）で、３日後の圧力が０．９ＭＰａであり、約４００ｇ／年の冷媒漏れが生じている場合に、集合工程において冷媒Ｒを空間Ｓの下部に集める時間を５分に設定し、その後の検出工程において冷媒検知器５によって冷媒漏れを検出することができた。
【００４４】
冷媒漏れ検査が終了した後、図６に示すように室内ユニット３のケース３１からシート部材４を取り外す。そして、図６（Ｂ）に示すように、送風機３４、化粧パネル３２などをケース３１に取り付ける。
【００４５】
最後に、メンテナンス後の空気調和機１の運転データを測定する。運転データとしては、例えば吸い込み温度、吹き出し温度、風速、吹き出しグリルのスイング状態などが挙げられる。この運転データの測定は省略することもできる。
【００４６】
なお、図１に示すように、冷媒漏れの検出及び洗浄の対象が複数の室内ユニット３である場合には、複数の室内ユニット３のうちの一部の室内ユニット３において前記洗浄工程を行っているときに、他の室内ユニット３の少なくとも１つにおいて集合工程及び検出工程の少なくとも一方を行うようにしてもよい。
【００４７】
［第２実施形態］
次に、本発明の第２実施形態に係るメンテナンス方法について説明する。図７は、第２実施形態に係るメンテナンス方法に用いられるシート部材４を示す斜視図である。第２実施形態では、冷媒漏れの検出及び洗浄の対象が、部屋８の壁Ｗに設置される室内ユニット３である。
【００４８】
第２実施形態におけるシート部材４は、第１実施形態におけるシート部材４と同様の材質を有している。図７に示すようにこのシート部材４は、上部４３が開口した袋状の部材である。シート部材４は、壁掛け型の室内ユニット３の全体を包み込むことができる程度の大きさを有する。
【００４９】
図８は、図７のシート部材４の下部４２にメンテナンス用開口部４２Ａを形成する手順を示す斜視図である。このメンテナンス用開口部４２Ａは、冷媒漏れ検査のときに冷媒検知器５のプローブ５１をシート部材４で囲まれた空間Ｓに挿入するための点検口として機能する。また、メンテナンス用開口部４２Ａは、洗浄工程において、ノズル７１及びチューブ７２の一部がシート部材４で囲まれた空間Ｓ内に挿入される挿入口としても機能する。すなわち、シート部材４の下部４２の開口部４２Ａは、洗浄工程におけるノズル７１挿入用の開口部と、検出工程における検出手段５を挿入するための開口部とを兼ねている。
【００５０】
メンテナンス用開口部４２Ａは例えば図８に示すような手順で形成することができる。すなわち、まず、シート部材４の下部４２の一部分に例えば梱包用の粘着テープ（ガムテープ）４７を貼り付ける。そして、このガムテープ４７の一部分にカッターなどによって切れ目４５を入れる。切れ目４５の大きさは、冷媒検知器５のプローブ５１やノズル７１を挿入できる程度であればよい。その後、切れ目４５を覆うように梱包用の粘着テープ４６を粘着テープ４７に貼り付ける。この粘着テープ４６は、冷媒漏れ検査などのときに着脱される蓋として機能する。
【００５１】
図９（Ａ）は、シート部材４を壁掛け型の室内ユニット３に装着した状態での洗浄工程を示す正面図であり、図９（Ｂ）は、その側面図である。図９（Ｃ）は、冷媒漏れの検査を行う工程を示す正面図である。
【００５２】
第２実施形態のメンテナンス方法では、まず、シート部材４の上部４３の開口部から室内ユニット３を袋内に挿入し、図９（Ａ）に示すように室内ユニット３の全体をシート部材４によって覆う。シート部材４の上部４３は、室内ユニット３との間に隙間が生じないように粘着テープなどによって室内ユニット３に固定される。
【００５３】
次に、室内ユニット３の正面のグリルを開いた状態で、図９（Ａ）に示すように洗浄が行われる（洗浄工程）。洗浄工程では、シート部材４で囲まれた空間Ｓに配置されたノズル７１から洗浄剤を噴射させた後、水をノズル７１から噴射させる。洗浄工程において使用された洗浄剤及び水は、シート部材４の内面を伝ってシート部材４の下部４２に至り、ホース６１を通じて回収容器６２に回収される。
【００５４】
次に、室内ユニット３の冷媒漏れの検査が行われる。この冷媒漏れの検査では、室内ユニット３のケース３１にシート部材４が取り付けられた状態（空間Ｓが形成された状態）が維持される。冷媒漏れの検査は、第１実施形態と同様に集合工程と、検出工程とを含む。洗浄工程で用いられるシート部材４と、集合工程及び検出工程で用いられるシート部材４は、同じものである。
【００５５】
集合工程は、空間Ｓが形成された状態で、室内ユニット３から冷媒の漏れが生じている場合に自重によって下降するガス冷媒Ｒを空間Ｓの下部に集める。この集合工程では、メンテナンス用開口部４２Ａは閉じられている。集合工程及び検出工程は、ケース３１内の空間及びシート部材４に囲まれた空間Ｓにおいてできるだけ気流が生じないように、空気調和機１の圧縮機、送風機３４などの運転が停止された状態で行われる。集合工程において冷媒Ｒを空間Ｓの下部に集める時間は、特に限定されないが、例えば数分〜数十分程度（例えば５分〜１０分）に設定される。
【００５６】
検出工程は、図９（Ｃ）に示すように、空間Ｓの下部に集められた冷媒Ｒを検出手段５によって検出する。検出手段５のプローブ５１は、シート部材４の下部４２の開口部４２Ａから挿入され、プローブ５１の先端部が空間Ｓに配置される。これにより、空間Ｓの下部に集まるガス冷媒Ｒが検出される。
【００５７】
なお、誤検知の防止のため、検出後には、プローブ５１を空間Ｓから一旦出して再度空間Ｓに挿入して、冷媒検知器５による検出を再度行うのが好ましい。集合工程のときには、例えば室内ユニット３に接続される図略の冷媒配管（フレア管）の接続部分の冷媒漏れ検査、室外ユニットの点検などを並行して行うこともできる。室外ユニットの冷媒漏れの検査は、室内ユニット３と同様にして行うことができる。
【００５８】
また、室内ユニット３に接続されている冷媒配管の接続部分がシート部材４で囲まれる空間Ｓの外部にあり、冷媒漏れが検出された場合には、冷媒漏れの箇所は、室内熱交換器である可能性が高いと判断できる。室内ユニット３に接続されている冷媒配管の接続部分がシート部材４で囲まれる空間Ｓの内部にあり、冷媒漏れが検出された場合には、冷媒漏れの箇所は、冷媒配管の接続部分である可能性と、室内熱交換器である可能性とがある。この場合には、冷媒配管の接続部分の冷媒漏れの有無を確認し、この接続部分からの冷媒漏れがなければ、冷媒漏れの箇所は、室内熱交換器である可能性が高いと判断できる。
【００５９】
図１０は、室内ユニット３の下方の空間Ｓを図９（Ｃ）に示す形態よりも小さくした状態を示している。この変形例では、シート部材４で囲まれた空間Ｓを図９（Ｃ）に示す形態よりも小さくしている。これにより、空間Ｓの下部に冷媒Ｒを局所的に集めやすい。これにより、冷媒漏れの検出精度を高めることができる。シート部材４は、柔軟性、可撓性を有する樹脂製であるので、図１０に示すようにシート部材４の一部（図１０における左側の部分）を上方に持ち上げて空間Ｓを小さくすることが容易にできる。上方に持ち上げられた部分は、シート部材４の中間部４１や上部４３において粘着テープなどによって固定される。
【００６０】
［実施形態のまとめ］
第１実施形態及び第２実施形態では、前記メンテナンス方法は、室内ユニット３の少なくとも下部又は室外ユニット２の少なくとも下部を覆うようにシート部材４を配置してそのユニットの下方にシート部材４によって囲まれる空間Ｓを形成する形成工程と、空間Ｓが形成された状態で、前記ユニットを洗浄する洗浄工程と、空間Ｓが形成された状態で、前記洗浄工程の前後の何れかに行われ、前記ユニットから冷媒の漏れが生じている場合に自重によって下降する冷媒を空間Ｓの下部に集める集合工程と、空間Ｓの下部に集められた冷媒を検出手段５によって検出する検出工程と、を備える。このように、室内ユニット３から漏れる冷媒を、シート部材４によって囲まれる空間Ｓにおいて自重によって下降させて空間Ｓの下部に集めることによって、室内ユニット３から漏れる冷媒が微量であったとしても短時間で冷媒漏れの有無を検出することができる。すなわち、シート部材４によって囲まれる空間Ｓを形成することにより、室内ユニット３から漏れた冷媒は、部屋８の気流によって周辺に拡散することなく、空間Ｓの下部に局所的に集められる。これにより、検出対象の冷媒濃度が部屋８の気流によって下がることを防止できるので、室内ユニット３から漏れる冷媒が微量であったとしても短時間で冷媒漏れの有無を検出することができる。しかも、シート部材４によって空間Ｓが形成された状態で室内ユニット３の洗浄も行う。すなわち、室内ユニット３の下方に空間Ｓを形成するシート部材４は、室内ユニット３から漏れる冷媒を集める機能と、洗浄時の水や洗浄剤などが周囲に飛散するのを防ぐ機能とを兼ね備える。したがって、１回のメンテナンスで室内ユニット３の洗浄と室内ユニット３の冷媒漏れ検査とを短時間で効率的に行うことができる。
【００６１】
第１実施形態では、冷媒漏れの検出及び洗浄の対象が部屋８の天井Ｃに設置される室内ユニット３であり、第２実施形態では、冷媒漏れの検出及び洗浄の対象が部屋８の壁Ｗに設置される室内ユニット３である。天井設置型や壁掛け型の室内ユニット３は部屋８の床Ｆからの距離が大きな高所に設置されるので、前記形成工程において室内ユニット３の下方にシート部材４によって囲まれる空間Ｓを形成するのに必要なスペースを十分に確保することができる。
【００６２】
第１実施形態では、冷媒漏れの検出及び洗浄の対象が複数の室内ユニット３であり、複数の室内ユニット３のうちの一部の室内ユニット３において洗浄工程を行っているときに、他の室内ユニット３の少なくとも１つにおいて集合工程及び検出工程の少なくとも一方を行うのが好ましい。この場合には、メンテナンスをより短時間で効率的に行うことができる。
【００６３】
第１実施形態及び第２実施形態では、例えば室内ユニット３が設置されている部屋の用途（例えば化学物質を扱うような用途など）によっては、その部屋の空気に含まれる冷媒以外の物質が室内ユニット３のケース３１内や空間Ｓに存在し、検出手段５による誤検知の原因になる場合がある。このような場合、前記洗浄工程の後に前記集合工程と前記検出工程とを行うことによって誤検知が抑制されて冷媒漏れの有無の検出精度をより高めることができる。
【００６４】
第１実施形態及び第２実施形態において、冷媒が微燃性のＲ３２単体の冷媒である場合、冷媒の漏洩を上記メンテナンス方法によって検出することは非常に有意義である。
【００６５】
［変形例］
なお、本発明は、前記実施形態に限られるものではなく、その趣旨を逸脱しない範囲で種々変更、改良等が可能である。
【００６６】
前記実施形態では、室内ユニットが天井埋込み型の室内ユニットである場合、及び室内ユニットが壁掛け型の室内ユニットである場合を例に挙げて説明したが、これに限られない。例えば、室内ユニットは、天吊り型、床置き型などの他のタイプの室内ユニットであってもよい。なお、床置き型の室内ユニットの場合には、シート部材４による空間Ｓを形成するために、室内ユニットを床から離した高所に配置してメンテナンスが行われる。
【００６７】
前記実施形態では、冷媒漏れ検出の対象及び洗浄の対象が室内ユニット３である場合を例示したが、これらの対象が、床との間に空間が形成された位置に設置された室外ユニットであってもよい。
【００６８】
また、前記実施形態では、集合工程及び検出工程は、洗浄工程の後に行われているが、洗浄工程の前に行われてもよい。
【符号の説明】
【００６９】
１  空気調和機
２  室外ユニット
３  室内ユニット
４  シート部材
５  検出手段
６  冷媒配管
Ｓ  シート部材によって囲まれる空間
【図１】
2015001327.tif 000003
【図２】
2015001327.tif 000004
【図３】
2015001327.tif 000005
【図４】
2015001327.tif 000006
【図５】
2015001327.tif 000007
【図６】
2015001327.tif 000008
【図７】
2015001327.tif 000009
【図８】
2015001327.tif 000010
【図９】
2015001327.tif 000011
【図１０】
2015001327.tif 000012